(57)【要約】【課題】本来、中身の物品を取り出した後にゴミとして廃棄される包装容器を再度使用できるようにして、廃棄物のリサイクルが可能となりゴミの減量が図られ、また、机上など見易い場所に飾って実用的に使用できるばかりか見て楽しむこともできるようにした包装容器を提供する。【解決手段】投影して重なる略正多角形状の上・下壁１，２とその周囲を囲う周側壁３とを有し、前記上・下壁１，２の各角部位置からそれぞれ前記周側壁３に沿って角部突出壁４を突設し、前記上・下壁１，２の各側辺にそれぞれ前記両角部突出壁４，４に挟まれ且つ該角部突出壁４が嵌合し得る凹部５を成形し、外周面には所望の文字ｗ・図柄ｐを印刷した構成からなる。【選択図】図５
0003104524.tif 000002
【実用新案登録請求の範囲】
【請求項１】
投影して重なる略正多角形状の上・下壁とその周囲を囲う周側壁とを有し、前記上・下壁の各角部位置からそれぞれ前記周側壁に沿って角部突出壁を突設し、前記上・下壁の各側辺にそれぞれ前記両角部突出壁に挟まれ且つ該角部突出壁が嵌合し得る凹部を成形し、外周面には所望の文字・図柄を印刷したことを特徴とする包装容器。
【請求項２】
所定形状に打ち抜かれた一枚の厚紙を折り曲げて成形され、投影して重なる略正四角形状の上・下壁とその周囲を囲う周側壁とを有し、前記上・下壁の各角部位置からそれぞれ前記周側壁に沿って角部突出壁を突設し、前記上・下壁の各側辺にそれぞれ前記両角部突出壁に挟まれ且つ該角部突出壁が嵌合し得る凹部を成形し、外周面には所望の文字・図柄を印刷したことを特徴とする包装容器。
【考案の詳細な説明】
【技術分野】
【０００１】
本考案は、菓子や小物類といった各種物品を収納するための包装容器であって、収納された物品を取り出した後も机上など見易い場所に飾って見て楽しめるようにした包装容器に関するものである。
【背景技術】
【０００２】
例えば、キャラメルやキャンディなどの菓子は、通常、立方体形状または直方体形状の紙製の包装容器に収納されて販売される（例えば、特許文献１参照。）。
【特許文献１】実開平５−９５８２２号公報（第２頁、図２）
【考案の開示】
【考案が解決しようとする課題】
【０００３】
しかしながら、中身の菓子を食べた後の空の包装容器は利用価値が無く、ほとんどそのままクズカゴへ廃棄しているのが現状である。
ところで、包装産業が発達している今日においては、毎日のように多くの空箱がゴミとして排出されている。このように排出されるゴミは増加の一途をたどり、各地方自治体などはその対策に苦慮している。
【０００４】
そこで、本考案は上記課題に鑑みてなされたものであり、本来、中身の物品を取り出した後にゴミとして廃棄される包装容器を再度使用できるようにして、廃棄物のリサイクルが可能となりゴミの減量が図られ、また、机上など見易い場所に飾って実用的に使用できるばかりか見て楽しむこともできるようにした包装容器を提供することを目的とするものである。
【課題を解決するための手段】
【０００５】
かかる目的を達成するため、本考案に係る包装容器は、投影して重なる略正多角形状の上・下壁とその周囲を囲う周側壁とを有し、前記上・下壁の各角部位置からそれぞれ前記周側壁に沿って角部突出壁を突設し、前記上・下壁の各側辺にそれぞれ前記両角部突出壁に挟まれ且つ該角部突出壁が嵌合し得る凹部を成形し、外周面には所望の文字・図柄を印刷した構成からなる。
【０００６】
具体的には、本考案に係る包装容器は、所定形状に打ち抜かれた一枚の厚紙を折り曲げて成形され、投影して重なる略正四角形状の上・下壁とその周囲を囲う周側壁とから立方体形状をなす。そして、前記上・下壁の各角部位置からそれぞれ前記周側壁に沿って角部突出壁を突設し、前記上・下壁の各側辺にそれぞれ前記両角部突出壁に挟まれ且つ該角部突出壁が嵌合し得る凹部を成形し、外周面には所望の文字・図柄を印刷した構成からなる。
【０００７】
本考案の包装容器はコスト面から見て厚紙製が好ましいが、他に合成樹脂または金属製であっても良い。
【考案の効果】
【０００８】
本考案に係る包装容器は、上下位置に重ねられる包装容器であって、上または下の包装容器を水平面内で所定の角度回転した状態で下の包装容器と上の包装容器における対向する各角部突出壁と各凹部を互いに嵌合させるようにしている。これにより、各包装容器を上下に且つ多段に積み重ねて使用でき、また、外周面には所望の文字・図柄を印刷するようにしたので、本来、中身の物品を取り出した後の包装容器が再度使用できるようになり、廃棄物のリサイクルが可能になってゴミの減量が図られる。しかも、机上など見易い場所に飾って実用的に使用できるばかりか見て楽しむこともできるという極めて有益な効果を有する。
【考案を実施するための最良の形態】
【０００９】
以下、本考案に係る包装容器の実施の形態を図面と共に説明する。本考案に係る包装容器は、内部にキャラメル、キャンディ等の菓子やおもちゃ類といった小物を収納するものであり、一枚の厚紙を所定形状に打ち抜くと共にこれを折り曲げて組み立てられるようにしている。また、包装容器は、他に合成樹脂または金属により成形されるものであっても良い。
【００１０】
図１は本考案に係る包装容器の組み立てた状態の斜視図、図２は同展開図、図３（イ）乃至（ハ）は同組立順序を示す工程図、図４は同縦断側面図、図５は同使用状態図である。この包装容器Ａは、所定形状に打ち抜かれた一枚の厚紙を折り曲げ立方体形状、所謂サイコロ状、に成形される。詳しくは、主として上・下壁１，２とその上・下壁１，２間の周囲を囲う周側壁３とからなり、前記上・下壁１，２が上下に投影して重なる略正四角形状に成形されている。
【００１１】
そして、上・下壁１，２の各角部位置からそれぞれ前記周側壁３に沿って所定高さの角部突出壁４が突設されている。また、これにより前記上・下壁１，２の各側辺に、それぞれ前記両角部突出壁４，４に挟まれ且つ該角部突出壁４が嵌入し得る凹部５が成形される。また、上・下壁１，２及び周側壁３には、例えばカレンダーや犬の顔といった文字ｗ、図柄ｐが印刷されている。
【００１２】
次に、包装容器Ａの組立順序を説明する。図２の包装容器の展開図で、中央に横長の周側壁３が配置され、四枚の周側辺壁３ａ〜３ｄが縦折線６を介して連接されている。また、各周側辺壁３ａ〜３ｄの上下位置に前記凹部５の下縁に位置して横折線７が設けられる。そして、上の横折線７を介して各周側辺壁３ａ〜３ｄの上に一側から中間壁８、支持壁９、上壁１、支持壁９の順に連接されている。一方、下の横折線７を介してその下に同じ一側から下壁２、支持壁９、中間壁８、支持壁９の順に連接されている。
【００１３】
一側縁に位置する周側辺部３ａの外縁に、縦折線６を介して差込片１０が連接される。一方、他側縁に位置する周側辺部３ｄの外縁には、縦折線６を介して糊代片１１が連接されると共にその縦折線６に沿って前記差込片１０が挿入して係止される係止孔１２が開設されている。前記上・下壁１，２の上辺または下辺の両側縁に横折線１３を介して突片１４，１４が突設される。また、前記中間壁８の両側縁に半円形状の切欠部１５が設けられている。
【００１４】
そこで、まず図３（イ）に示すように周側壁３を内側へ折り曲げて一方の差込片１０を他方の係止孔１２に差し込む。次に、同図（ロ）に示すように上の各支持壁９，９を横折線７を介して互いに内側へ折り曲げ、更に、同図（ハ）に示すように上の中間壁８，８を横折線７を介して内側へ折り曲げる。最後に、上壁１を内側に折り曲げると共にその先端両側部の突片１４，１４を周側辺壁３ａの内側へ差し込む。周側壁３の下側についても前記と同様な手順により作業を行なう。これにより、図１、図４に示すように包装容器Ａが組み立てられる。
【００１５】
このようにして組み立てられた包装容器Ａの中には、例えばキャラメル、キャンディまたはおもちゃ類といった各種小物を収納して商品とされる。これら包装容器Ａは外周面に文字ｗや図柄ｐが印刷されており、しかも、これらがシリーズ化されていると好適である。
【００１６】
そこで、前記商品を集めて中身の小物を取り出した後は、それら包装容器Ａを組み立てる。すなわち、一組の包装容器Ａ１，Ａ２の場合、図５に示すように下に位置する一方の包装容器Ａ１の上に、他方の包装容器Ａ２を配置し、この場合、上の包装容器Ａ２を水平面内で４５度回転すると共に対向する上下の各角部突出壁４と各凹部５を互いに嵌合させる。これにより、下の包装容器Ａ１と上の包装容器Ａ２とが上下に重ねて積まれる。包装容器が２個以上有っても、以後、同様な手順により包装容器Ａ１，Ａ２…を多段に積むことができる。
【００１７】
前記各包装容器Ａ１，Ａ２…には、それぞれ外側壁の一側面にカレンダーのある月が印刷されており、１月、２月、３月…と積み上げるようにすれば、机上に飾り物として置くことによりカレンダーに利用でき実用性に富む。また、周側壁の一側面に人気のあるキャラクターが印刷されているので、見るだけで楽しめるばかりでなく癒し効果も得られて気分が良い。
【００１８】
本実施の形態にあっては、立方体形状の包装容器について説明したが、上下面が投影して重なる略多角形状、例えば上下面が同じ大きさの略正三角形、略正五角形、略正六角形であっても良いこと勿論である。
【図面の簡単な説明】
【００１９】
【図１】本考案に係る包装容器の組み立てた状態の斜視図。
【図２】同展開図。
【図３】（イ）乃至（ハ）は同組立順序を示す工程図。
【図４】同縦断側面図。
【図５】同使用状態図。
【符号の説明】
【００２０】
１                上壁
２                下壁
３                周側壁
４                角部突出壁
５                凹部
Ａ，Ａ１，Ａ２    包装容器
【図１】
0003104524.tif 000003
【図２】
0003104524.tif 000004
【図３】
0003104524.tif 000005
【図４】
0003104524.tif 000006
【図５】
0003104524.tif 000007